(57)【特許請求の範囲】
【請求項１】
床下車両持ち上げジャッキ用分割反転カバープレート装置であって、カバープレートを含み、前記カバープレートは分割構造となっており、第一可動カバープレート（４）と、第二可動カバープレート（６）とを含み、前記第一可動カバープレート（４）と前記第二可動カバープレート（６）はそれぞれ異なるピン軸によって旋回するようになっており、前記第二可動カバープレート（６）を旋回させるピン軸の直下には反転防止ブロック（５）が設けられ、前記反転防止ブロック（５）は別のピン軸によって前記第一可動カバープレート（４）に接続されている床下車両持ち上げジャッキ用分割反転カバープレート装置。
【請求項２】
案内輪（７）が、前記第一可動カバープレート（４）から離れて前記第二可動カバープレート（６）の端部の下に設けられている請求項１記載の床下車両持ち上げジャッキ用分割反転カバープレート装置。
【請求項３】
反転アーム（３）が前記第一可動カバープレート（４）の下に設けられ、前記反転アーム（３）の一端はベアリングによって前記反転防止ブロック（５）に接続され、他端はさらに別のピン軸と含油ベアリングによって動力作動プッシュロッド（１）に接続されており、前記動力作動プッシュロッド（１）は、動力作動プッシュロッド取り付け台座（２）上に設けられている請求項１又は２記載の床下車両持ち上げジャッキ用分割反転カバープレート装置。
【請求項４】
前記動力作動プッシュロッド取付け台座（２）は、前記第一可動カバープレート（４）に接続される請求項３記載の床下車両持ち上げジャッキ用分割反転カバープレート装置。
【発明の詳細な説明】
【技術分野】
【０００１】
本発明は、鉄道機関車修理設備に関するものであり、特に鉄道車両を検査及び修理するために用いられる床下車両持ち上げジャッキ用カバープレート装置に関する。
【背景技術】
【０００２】
床下車両持ち上げジャッキは、損傷を受けておらず分解もされていない動力車列車、高速列車、高出力機関車又は都市鉄道車両の検査や修理に用いられ、それには鉄道車両のボギー台車の交換、車体の底部及び上部にある電気設備の検査、修理及び交換などが含まれる。中国における動力車列車と高速列車の大規模な使用とともに、動力車列車用の床下車両持ち上げジャッキは列車のハイレベルな検査と修理に重要な役割を担う。動力車列車の車輪を外すために、初めに列車全体が同調して一定の高さまでボギー台車持ち上げ装置によって持ち上げられてボギー台車が分解され、それから客車が車体持ち上げ装置によって支持される。
【０００３】
車輪を外す過程において、車体持ち上げ装置の持ち上げ支柱と支持頭部の両方が地面の上方に上昇する。従って、地表面のカバープレートには対応する隙間が形成される。それは検査や修理に都合が悪いだけでなく、整備員の安全に隠れた危険性をもたらす。度々、反転カバープレート装置は、車体持ち上げ支柱の伸長や格納に影響を及ぼすことなく、これらの隙間を塞ぐために用いられる。従来の反転カバープレートは次の二つの構造を有する：（１）反転カバープレートは車体持ち上げ装置によって直接に持ち上げられ、この持ち上げられた反転カバープレート上の案内輪が持ち上げ支柱に沿って転がり、；この種のカバープレートは、支持頭部が基本的に持ち上げ支柱と平行で高さが同じである場合に適用されるが、支持頭部が比較して長い場合には適用されず、（２）柵状反転カバープレート同様に、この構造の反転カバープレートは大きなスペースを占め、よって検査や修理のためのスペースを減少させ、持ち上げられた車両の検査や修理に不都合である。
【発明の概要】
【発明が解決しようとする課題】
【０００４】
現存する床下車両持ち上げジャッキ用反転カバープレートの問題に鑑みて、本発明は構造上の信頼性と実現性があり、使用において安全で便利な床下車両持ち上げジャッキ用反転カバープレート装置を提供する。
【課題を解決するための手段】
【０００５】
本発明の技術的スキームは下記のとおりである：
床下車両持ち上げジャッキ用分割反転カバープレート装置であって、カバープレートを含み、前記カバープレートは分割構造となっており、第一可動カバープレートと、第二可動カバープレートとを含み、前記第一可動カバープレートと前記第二可動カバープレートはピン軸によって旋回式であり、前記ピン軸の直下には反転防止ブロックが設けられ、前記反転防止ブロックは前記ピン軸によって前記第一可動カバープレートに接続されている床下車両持ち上げジャッキ用分割反転カバープレート装置。
【０００６】
好適には、案内輪が前記第一カバープレートから離れて前記第二プレートの端部の下に設けられる。
【０００７】
好適には、反転アームが前記第一可動カバープレートの下に設けられ、前記反転アームの一端はベアリングによって前記反転防止ブロックに接続され、他端は前記ピン軸と含油ベアリングによって動力作動プッシュロッドに接続されており、前記動力作動プッシュロッドは、動力作動プッシュロッド取付け台座上に設けられる。
【０００８】
好適には、前記動力作動プッシュロッド取付け台座（２）は、前記第一可動カバープレート（４）に接続される。
【発明の効果】
【０００９】
本発明の有益な効果：本発明は分割構造を採用し、持ち上げ装置が伸長した後、第一可動カバープレートが水平位置に戻り、第二可動カバープレートが持ち上げ支柱に寄り掛かって案内輪によって持ち上げ支柱と接触する。従来の反転カバープレートと比べて、本発明は次のような利点を有する：（１）検査及び修理の過程において、持ち上げ装置の持ち上げまたは降下は、反転カバープレートを開く必要がなくなり、使用において便利になり、（２）閉じられた第一可動カバープレートは検査または修理のための限られたスペースを占有することなく、潜在的な整備者の安全性の問題を低減し、（３）多くのタイプに適用できる車体持ち上げ装置は、支持頭部が持ち上げ支柱と平行であり、同じ高さであるかどうかにかかわらず本発明に適用することができる。
【図面の簡単な説明】
【００１０】
【図１】図１は本発明の構造図である。
【図２】図２は本発明の作動状態の構造図である。
【図３】図３は作動状態にある従来の反転カバープレート１の構造図である。
【図４】図４は作動状態にある従来の反転カバープレート２の構造図である。
【発明を実施するための形態】
【００１１】
さらに本発明の詳細について添付図面を用いて説明する。
【００１２】
床下車両持ち上げジャッキ用分割反転カバープレート装置は、カバープレートを含み、このカバープレートは分割構造を有し、第一可動カバープレート４と、第二可動カバープレート６とを含み、第一カバープレート４と第二カバープレート６は、ピン軸によって旋回式であり、案内輪７が第一可動カバープレート４から離れて第二可動カバープレート６の端部の下に設けられている。反転防止ブロック５がピン軸の直下に設けられ、ピン軸によって第一可動カバープレート４の下に接続されている。反転アーム３は、第一カバープレート４の下に設けられ、前記反転アーム３の一端はベアリングによって反転防止ブロック５に接続され、他端はピン軸と含油ベアリングによって動力作動プッシュロッドに接続される。動力作動プッシュロッド１は動力作動プッシュロッド取付け台座２上に配置される。動力作動プッシュロッド取付け台座２は第一カバープレート４に接続される。
【００１３】
床下車両持ち上げジャッキ用分割反転カバープレート装置の作動原理：作動していない状態では、反転カバープレートは水平状態にある。
【００１４】
車体持ち上げ装置の支持頭部８と持ち上げ支柱９が地面から持ち上がるとき、反転カバープレートは作動し始める：（１）動力作動プッシュロッド１によって駆動されると、反転アーム３が第一可動カバープレート４と第二可動カバープレート６をおよそ９０°反転するまで移動するように駆動し、（２）車体持ち上げ装置の支持頭部８と持ち上げ支柱９が伸長し、（３）動力作動プッシュロッド１は反転アーム３を格納するように駆動し、反転カバープレート上の案内輪７が持ち上げ支柱９と接触して、第一可動カバープレート４は水平姿勢に戻り、第二可動カバープレート６は持ち上げ支柱９に寄り掛かる。
【図１】
0005992612.tif 000002
【図２】
0005992612.tif 000003
【図３】
0005992612.tif 000004
【図４】
0005992612.tif 000005